(57)【要約】【課題】本発明は、複数の物品で構成される出荷物の出荷に係る作業性の向上を図ることができる出荷物関連データ作成装置、出荷物関連データ作成方法、及び出荷物関連データ作成プログラムを提供することを課題とする。【解決手段】本発明の出荷物関連データ作成装置は、複数の物品で構成される出荷物に関する出荷物関連データを作成するための装置である。出荷物関連データ作成装置の制御部は、出荷物の主たる物品を特定するための主物品情報と、主たる物品に付属すべき付属品を特定するための付属品情報と、主たる物品及び付属品に関する所定の順序を示す順序情報とが互いに関連付けられた物品マスタを参照することにより、出荷物を構成すべき複数の物品のリストであって当該複数の物品に関する順序が明示的に又は黙示的に示されたリストのデータを出荷物関連データとして作成する。【選択図】図２
2017174412.tif 000002
【特許請求の範囲】
【請求項１】
複数の物品で構成される出荷物に関する出荷物関連データを作成するための、制御部を備えた出荷物関連データ作成装置であって、
前記制御部は、
前記出荷物の主たる物品を特定するための主物品情報と、前記主たる物品に付属すべき付属品を特定するための付属品情報と、前記主たる物品及び前記付属品に関する所定の順序を示す順序情報とが互いに関連付けられた物品マスタを参照することにより、前記出荷物を構成すべき複数の物品のリストであって当該複数の物品に関する順序が明示的に又は黙示的に示されたリストのデータを前記出荷物関連データとして作成する作成手段
を備える
ことを特徴とする出荷物関連データ作成装置。
【請求項２】
前記出荷物関連データは、
前記出荷物を構成する物品のリストを出力するための出力用データであり、
前記所定の順序は、
前記出荷物を構成する物品のリストにおいて出力すべき物品の出力順序であり、かつ、
前記作成手段は、
前記物品マスタとして、前記主物品情報と、前記付属品情報と、前記所定の順序としての前記出力順序とが互いに関連付けられた第１の物品マスタを参照することにより、前記出荷物関連データとして前記出力用データを作成する
ことを特徴とする請求項１に記載の出荷物関連データ作成装置。
【請求項３】
前記出荷物関連データは、
前記出荷物を構成するために必要な複数の物品を特定するための物品特定用データであり、
前記所定の順序は、
前記出荷物を構成するために必要な複数の物品の梱包手順であり、かつ、
前記作成手段は、
前記物品マスタとして、前記主物品情報と、前記付属品情報と、前記所定の順序としての前記梱包手順とが互いに関連付けられた第２の物品マスタを参照することにより、前記出荷物関連データとして前記物品特定用データを作成する
ことを特徴とする請求項１に記載の出荷物関連データ作成装置。
【請求項４】
前記出荷物は、受注に係る主たる物品を含み、
前記制御部は、
前記受注に関する受注情報に応じて、前記付属品情報に対応する付属品の種類又は数量を決定する付属品決定手段をさらに含む
ことを特徴とする請求項１〜３のいずれか１項に記載の出荷物関連データ作成装置。
【請求項５】
前記受注情報は、
前記受注の受注元を特定するための受注元特定情報及び前記主たる物品の出荷先を特定するための出荷先特定情報のうちの一方又は双方を含み、かつ、
前記付属品決定手段は、
前記受注元特定情報及び前記出荷先特定情報のうちの一方又は双方に基づいて、前記付属品情報に対応する付属品の種類又は数量を決定する
ことを特徴とする請求項４に記載の出荷物関連データ作成装置。
【請求項６】
制御部を備えた情報処理装置において実行される、複数の物品で構成される出荷物に関する出荷物関連データを作成するための出荷物関連データ作成方法であって、
前記制御部において実行される、
前記出荷物の主たる物品を特定するための主物品情報と、前記主たる物品に付属すべき付属品を特定するための付属品情報と、前記主たる物品及び前記付属品に関する所定の順序を示す順序情報とが互いに関連付けられた物品マスタを参照することにより、前記出荷物を構成すべき複数の物品のリストであって当該複数の物品に関する順序が明示的に又は黙示的に示されたリストのデータを前記出荷物関連データとして作成する作成ステップ
を含む
ことを特徴とする出荷物関連データ作成方法。
【請求項７】
制御部を備えた情報処理装置において実行させるための、複数の物品で構成される出荷物に関する出荷物関連データを作成するための出荷物関連データ作成プログラムであって、
前記制御部において実行させるための、
前記出荷物の主たる物品を特定するための主物品情報と、前記主たる物品に付属すべき付属品を特定するための付属品情報と、前記主たる物品及び前記付属品に関する所定の順序を示す順序情報とが互いに関連付けられた物品マスタを参照することにより、前記出荷物を構成すべき複数の物品のリストであって当該複数の物品に関する順序が明示的に又は黙示的に示されたリストのデータを前記出荷物関連データとして作成する作成ステップ
を含む
ことを特徴とする出荷物関連データ作成プログラム。
【発明の詳細な説明】
【技術分野】
【０００１】
本発明は、出荷物関連データ作成装置、出荷物関連データ作成方法、及び出荷物関連データ作成プログラムに関する。
【背景技術】
【０００２】
特許文献１には、オーダーメイドのラベルを貼付した商品（ビール）についての注文管理装置に関し（段落［０００１］，図１３参照）、注文情報（図３参照）から、印刷用情報（図５参照）を作成すること（段落［００８７］）、ピッキングリスト情報（図４参照）を作成すること（段落［００９１］）が記載されている。さらに、特許文献１は、印刷用情報について、受注番号の９〜１１桁目をキーとして、ビール種別ごと、ラベルの形状ごと、ラベルの紙質ごとに並び替えを行うことや、印刷装置の性能に合わせた適切な数に分類することを開示している（段落［０１１９］参照）。
【先行技術文献】
【特許文献】
【０００３】
【特許文献１】特開２０１３−２１８６００号公報
【発明の概要】
【発明が解決しようとする課題】
【０００４】
しかしながら、特許文献１に記載されているような技術では、印刷用情報におけるデザインデータの並び替えは、せいぜい、ビール種別、ラベルの形状、及びラベルの紙質を考慮して印刷装置の性能に合わせて行われるにすぎず、ユーザの利便性（特には、出荷担当者の作業性）を考慮したものであるとはいえない。また、特許文献１に記載の技術では、ピッキングリスト情報は、せいぜい、注文情報（すなわち受注番号）に基づいて作成されるにすぎず、やはり、配送担当者の作業性を考慮したものであるとはいえない。このように、従来技術では、受注に応じた順序又は受注に応じて動作する機器の性能に応じて出荷物の梱包作業を行っているため、出荷物をピッキングする者や梱包する者（以下、まとめて「出荷担当者」ともいう）の作業性が悪いという問題点がある。特に、同一の商品であっても梱包物の内容（具体的には添付物）を、例えば顧客がリピーターであるかどうかに応じて変更しようとすると、出荷担当者は、顧客の判断及び必要な添付物の数の把握を行わなければならず、扱い商品が増加した場合や注文数が多い場合等の繁忙期には、人的負荷の増加や出荷内容の精度低下も懸念される。
【０００５】
ところで、梱包対象の出荷物が多数品目に及ぶ場合、通常、梱包物リストが添付又は同封されることが一般的であり、この場合、通常は、梱包物リストは予め作成されたものが使われている。すなわち、従来技術では、梱包対象の出荷物ごとに梱包物リストを用意する必要がある。そのため、同一の商品であっても梱包物の内容（具体的には添付物）を、例えばユーザがリピーターであるかどうかに応じて変更しようとすると、梱包物リストを作り直すか又は作成済のものを修正しなければならない。したがって、従来技術では、梱包物リストの作成に際しても作業性が悪いという問題点がある。
【０００６】
本発明は、上記問題点に鑑みてなされたものであって、複数の物品で構成される出荷物の出荷に係る作業性の向上を図ることができる出荷物関連データ作成装置、出荷物関連データ作成方法、及び出荷物関連データ作成プログラムを提供することを目的とする。
【課題を解決するための手段】
【０００７】
上述した課題を解決し、目的を達成するために、本発明に係る出荷物関連データ作成装置は、複数の物品で構成される出荷物に関する出荷物関連データを作成するための、制御部を備えた出荷物関連データ作成装置であって、前記制御部は、前記出荷物の主たる物品を特定するための主物品情報と、前記主たる物品に付属すべき付属品を特定するための付属品情報と、前記主たる物品及び前記付属品に関する所定の順序を示す順序情報とが互いに関連付けられた物品マスタを参照することにより、前記出荷物を構成すべき複数の物品のリストであって当該複数の物品に関する順序が明示的に又は黙示的に示されたリストのデータを前記出荷物関連データとして作成する作成手段を備えることを特徴とする。
【０００８】
また、本発明に係る出荷物関連データ作成装置は、前記出荷物関連データが、前記出荷物を構成する物品のリストを出力するための出力用データであり、前記所定の順序が、前記出荷物を構成する物品のリストにおいて出力すべき物品の出力順序であり、かつ、前記作成手段が、前記物品マスタとして、前記主物品情報と、前記付属品情報と、前記所定の順序としての前記出力順序とが互いに関連付けられた第１の物品マスタを参照することにより、前記出荷物関連データとして前記出力用データを作成することを特徴とする。
【０００９】
また、本発明に係る出荷物関連データ作成装置は、前記出荷物関連データが、前記出荷物を構成するために必要な複数の物品を特定するための物品特定用データであり、前記所定の順序が、前記出荷物を構成するために必要な複数の物品の梱包手順であり、かつ、前記作成手段が、前記物品マスタとして、前記主物品情報と、前記付属品情報と、前記所定の順序としての前記梱包手順とが互いに関連付けられた第２の物品マスタを参照することにより、前記出荷物関連データとして前記物品特定用データを作成することを特徴とする。
【００１０】
また、本発明に係る出荷物関連データ作成装置は、前記出荷物が、受注に係る主たる物品を含み、前記制御部が、前記受注に関する受注情報に応じて、前記付属品情報に対応する付属品の種類又は数量を決定する付属品決定手段をさらに含むことを特徴とする。
【００１１】
さらに、本発明に係る出荷物関連データ作成装置は、前記受注情報が、前記受注の受注元を特定するための受注元特定情報及び前記主たる物品の出荷先を特定するための出荷先特定情報のうちの一方又は双方を含み、かつ、前記付属品決定手段が、前記受注元特定情報及び前記出荷先特定情報のうちの一方又は双方に基づいて、前記付属品情報に対応する付属品の種類又は数量を決定することを特徴とする。
【００１２】
また、本発明に係る出荷物関連データ作成方法は、制御部を備えた情報処理装置において実行される、複数の物品で構成される出荷物に関する出荷物関連データを作成するための出荷物関連データ作成方法であって、前記制御部において実行される、前記出荷物の主たる物品を特定するための主物品情報と、前記主たる物品に付属すべき付属品を特定するための付属品情報と、前記主たる物品及び前記付属品に関する所定の順序を示す順序情報とが互いに関連付けられた物品マスタを参照することにより、前記出荷物を構成すべき複数の物品のリストであって当該複数の物品に関する順序が明示的に又は黙示的に示されたリストのデータを前記出荷物関連データとして作成する作成ステップを含むことを特徴とする。
【００１３】
また、本発明に係る出荷物関連データ作成プログラムは、制御部を備えた情報処理装置において実行させるための、複数の物品で構成される出荷物に関する出荷物関連データを作成するための出荷物関連データ作成プログラムであって、前記制御部において実行させるための、前記出荷物の主たる物品を特定するための主物品情報と、前記主たる物品に付属すべき付属品を特定するための付属品情報と、前記主たる物品及び前記付属品に関する所定の順序を示す順序情報とが互いに関連付けられた物品マスタを参照することにより、前記出荷物を構成すべき複数の物品のリストであって当該複数の物品に関する順序が明示的に又は黙示的に示されたリストのデータを前記出荷物関連データとして作成する作成ステップを含むことを特徴とする。
【発明の効果】
【００１４】
本発明によれば、複数の物品で構成される出荷物の出荷に係る作業性の向上を図ることができるという効果を奏する。
【図面の簡単な説明】
【００１５】
【図１】図１は、本発明の実施形態に係る出荷物関連データ作成装置を含む出荷物関連データ作成システムの構成の一例を示すブロック図である。
【図２】図２は、図１の出荷物関連データ作成システム１０００において、出荷物関連データ作成装置１００が実行する出荷物関連データ作成方法の処理手順を示すフローチャートである。
【図３】図３は、本発明の実施形態の具体例の概略的な仕組みを説明するために用いられる図である。
【図４−１】図４−１は、本発明の実施形態の具体例において採用されている同梱物情報を取得するためのロジックを説明するために用いられる図である。
【図４−２】図４−２は、図４−１に続く部分を示す図である。
【図５】図５は、本発明の実施形態の具体例において用意される１群のマスタの例を模式的に示す図である。
【図６】図６は、本発明の実施形態の具体例における受注品のリスト（受注データ）の一例を模式的に示す図である。
【図７】図７は、本発明の実施形態の具体例において、出荷物関連データを作成する処理を行うときのワークデータを模式的に示す図である。
【図８】図８は、図７に示すワークデータから、設定された印刷順に応じて抽出した１群のワークデータを模式的に示す図である。
【図９】図９は、図８に示すワークデータから最終的に作成されたワークデータ（出荷物関連データ）を模式的に示す図である。
【図１０】図１０は、本発明の実施形態の具体例において、出力される同梱物リストの一例を示す図である。
【図１１】図１１は、本発明の実施形態の具体例において、出力される同梱物ピッキング表の一例を示す図である。
【図１２】図１２は、図５に示した同梱物マスタのテーブルレイアウトの一例を示す図である。
【図１３】図１３は、図５に示した商品別同梱物マスタのテーブルレイアウトの一例を示す図である。
【図１４】図１４は、図５に示した商品属性別同梱物マスタのテーブルレイアウトの一例を示す図である。
【図１５−１】図１５−１は、本発明の実施形態の具体例において行われる処理をより詳細に説明するために用いられる図である。
【図１５−２】図１５−２は、図１５−１に続く部分を示す図である。
【図１５−３】図１５−３は、図１５−２に続く部分を示す図である。
【図１５−４】図１５−４は、図１５−３に続く部分を示す図である。
【発明を実施するための形態】
【００１６】
本発明の実施形態を図面に基づいて詳細に説明する。なお、本発明は本実施形態により限定されるものではない。
【００１７】
［１．構成］
本実施形態に係る出荷物関連データ作成装置の構成の一例について、図１を参照して説明する。図１は、出荷物関連データ作成装置を含む出荷物関連データ作成システムの構成の一例を示すブロック図である。
【００１８】
図１に示す出荷物関連データ作成システム１０００は、情報処理装置としての出荷物関連データ作成装置１００と、サーバ２００と、出荷物関連データ作成装置１００及びサーバ２００を通信可能に接続するネットワーク３００とを含んでいる。
【００１９】
出荷物関連データ作成装置１００は、市販のデスクトップ型パーソナルコンピュータであり、複数の物品で構成される出荷物に関する出荷物関連データを作成するための情報処理装置である。この出荷物関連データ作成装置１００は、例えば、事業者において出荷物を扱う部署（受注部門又は発送部門）に１台設置されている。なお、出荷物関連データ作成装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。また、出荷物関連データ作成装置１００は、出荷物関連データ作成システム１０００内において複数台設置されていてもよく、複数台の出荷物関連データ作成装置１００の間で同期をとることで１台の出荷物関連データ作成装置１００として機能してもよい。
【００２０】
出荷物関連データ作成装置１００は、制御部１０２と通信インターフェース部１０４と記憶部１０６と入出力インターフェース部１０８と、を備えている。出荷物関連データ作成装置１００が備えている各部は、任意の通信路を介して通信可能に接続されている。
【００２１】
通信インターフェース部１０４は、ルータ等の通信装置及び専用線等の有線又は無線の通信回線を介して、出荷物関連データ作成装置１００をネットワーク３００に通信可能に接続する。通信インターフェース部１０４は、他の装置と通信回線を介してデータを通信する機能を有する。ここで、ネットワーク３００は、出荷物関連データ作成装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。したがって、通信インターフェース部１０４は、他の部署に備え付けの情報処理装置からの入力情報、出荷物を構成する物品の受注元（注文主）又は出荷先からの入力情報等を、ネットワーク３００又はネットワーク３００及びサーバ２００を介して受け付けることが可能に構成されているとともに、所定の情報処理装置や、受注元又は出荷先に対して所定の情報を出力することが可能に構成されている。
【００２２】
記憶部１０６には、各種のデータベース、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラム（本発明のプログラムを含む）が記録される。記憶部１０６として、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。
【００２３】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。
【００２４】
制御部１０２は、出荷物関連データ作成装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００２５】
さらに図１を参照しながら、記憶部１０６及び制御部１０２の構成について詳述する。
【００２６】
記憶部１０６は、図１に示されるように、受注情報記憶領域１０６ａと、第１の物品マスタ１０６ｂと、出力用データ記憶領域１０６ｃと、第２の物品マスタ１０６ｄと、物品特定用データ記憶領域１０６ｅとを含む。第１の物品マスタ１０６ｂと第２の物品マスタ１０６ｄは、例えば単一の物品マスタとして統合されていてもよい。
【００２７】
受注情報記憶領域１０６ａは、受注に関する受注情報（例えば受注データ）を記憶するための領域である。受注情報は、好ましくは、受注の受注元を特定するための受注元特定情報及び複数の物品で構成される出荷物の主たる物品の出荷先を特定するための出荷先特定情報のうちの一方又は双方を含んでいる。受注情報は、他の記憶媒体から読み出したものであってもよいし、出荷物関連データ作成装置１００において新たに作成されて記憶させたものであってもよい。
【００２８】
第１の物品マスタ１０６ｂは、出荷物の主たる物品を特定するための主物品情報と、主たる物品に付属すべき付属品を特定するための付属品情報と、主たる物品及び付属品に関する所定の順序を示す順序情報とが互いに関連付けられた物品マスタであって、順序情報が示す所定の順序が出荷物を構成する物品のリストにおいて出力すべき物品の出力順序である物品マスタである。
【００２９】
出力用データ記憶領域１０６ｃは、複数の物品で構成される出荷物に関する出荷物関連データの１種としての出力用データを記憶するための領域である。出荷物関連データは、出荷物を構成すべき複数の物品のリストであって当該複数の物品に関する順序が明示的に又は黙示的に示されたリストのデータを含む。出力用データは、出荷物を構成する物品のリストを出力するためのデータである。出力用データは、出荷物関連データ作成装置１００によって作成されて出力用データ記憶領域１０６ｃに出力可能に保持される。
【００３０】
第２の物品マスタ１０６ｄは、出荷物の主たる物品を特定するための主物品情報と、主たる物品に付属すべき付属品を特定するための付属品情報と、主たる物品及び付属品に関する所定の順序を示す順序情報とが互いに関連付けられた物品マスタであって、順序情報が示す所定の順序が出荷物を構成するために必要な複数の物品の梱包手順である物品マスタである。
【００３１】
物品特定用データ記憶領域１０６ｅは、複数の物品で構成される出荷物に関する出荷物関連データの１種としての物品特定用データを記憶するための領域である。物品特定用データは、出荷物を構成するために必要な複数の物品を特定するためのデータである。物品特定用データは、出荷物関連データ作成装置１００によって作成されて物品特定用データ記憶領域１０６ｅに出力可能に保持される。
【００３２】
制御部１０２は、図１に示されるように、複数のモジュールを備えている。図１に示す例では、制御部１０２は、付属品決定部１０２ａと、作成部１０２ｂとを備えている。
【００３３】
付属品決定部１０２ａは、受注に関する受注情報に応じて、付属品情報に対応する付属品の種類又は数量を決定する付属品決定手段として機能するモジュールである。作成部１０２ｂは、上記物品マスタを参照することにより、出荷物を構成すべき複数の物品のリストであって当該複数の物品に関する順序が明示的に又は黙示的に示されたリストのデータを出荷物関連データとして作成する作成手段として機能するモジュールである。
【００３４】
［２．処理］
次に、図１に示す出荷物関連データ作成システム１０００において実行される出荷物関連データ作成方法を例示的に説明する。
【００３５】
図２は、図１の出荷物関連データ作成システム１０００において、出荷物関連データ作成装置１００が実行する出荷物関連データ作成方法の処理手順を示すフローチャートである。この図２に示す処理は、概略的には、複数の物品で構成される出荷物に関し、出荷物関連データを作成するに際し、出荷物の主たる物品及び付属品に関する順序が明示的に又は黙示的に示されたリストのデータを出荷物関連データとして作成するというものであり、本処理の大部分は、出荷物関連データ作成装置１００の制御部１０２において実行される。以下では、受注情報に基づいて出荷物関連データとして出力用データを作成する場合と、物品特定用データを作成する場合について例を挙げて説明する。
【００３６】
図２において、まず、ステップＳ２０１では、出荷物関連データ作成装置１００は、受注に関する受注情報として、受注データを取得する。受注データは、注文に係る物品（商品）を特定可能なデータであればよく、例えば、所定の記録媒体から読み出したものであってもよいし、インターネット又は電子メール等を介した商品注文に係る注文データであってもよいし、商品販売代理店からの商品配送依頼データであってもよいし、在庫からの商品出荷データであってもよい。
【００３７】
続くステップＳ２０２では、ステップＳ２０１で取得した受注データから、主たる物品を特定する。主たる物品とは、注文に係る物品を含む出荷物を構成する複数の物品のうちの一の物品又は物品群をいい、例えば、注文に係る商品である。ただし、主たる物品は、出荷物を構成する複数の物品のメインとなる物品である必要はなく、出荷物を特定可能な物品であればよく、例えば、キムチ鍋セットの場合は、主たる物品を、キムチとしてもよいし、１群の具材としてもよいし、１群の食材及び調味料としてもよい。主たる物品は、主たる物品を特定するための主物品情報から、例えば、受注データに含まれる商品コード又は商品名等から特定される。
【００３８】
さらに、ステップＳ２０３では、ステップＳ２０１で取得した受注データから、受注元及び出荷先を特定する。受注元とは、注文主又はその住所等であり、注文主は、個人であっても法人であってもよい。出荷先は、注文に係る物品の配送先であり、受注元と異なる場合に特定される。受注元及び出荷先は、例えば、受注データに含まれる受注の受注元を特定するための受注元特定情報及び主物品の出荷先を特定するための出荷先特定情報等から特定される。なお、ステップＳ２０２及びＳ２０３の処理は同時に又は並行して行ってもよいし、ステップＳ２０３の処理を行ってからステップＳ２０２の処理を行ってもよい。
【００３９】
次に、ステップＳ２０４では、出荷物関連データの作成を行うかどうかを判別する。出力用データは、出荷物を構成すべき複数の物品のリストであって当該複数の物品に関する順序が明示的に又は黙示的に示されたリストのデータである。ここで、「明示的に示されたリスト」とは、複数の物品に関する順序をユーザが把握できるリストをいい、例えば、各物品に順序を示す数字又は記号が付されているリストである。「黙示的に示されたリスト」とは、複数の物品に関する順序が示されていなくてもユーザがその順序を把握できるリストをいい、例えば、予め指定された並び順で複数の物品が並んでいるリストである。そして、出荷物関連データとして、本実施形態に係る出荷物関連データ作成装置１００は、後述する出力用データ（例えば、同梱物リストのデータ）及び後述する物品特定用データ（例えば、同梱物ピッキング表のデータ）の一方又は双方を作成可能である。ステップＳ２０４の判別は、具体的には、出荷物関連データ作成用の表示画面が起動されて出力用データ作成の旨の指示入力がなされるか又は物品特定用データ作成の旨の指示入力がなされるかを識別することによって行われる。出力用データ作成の旨の指示入力及び物品特定用データ作成の旨の指示入力は、例えば表示画面上のチェックボックスを介して行われ、双方のチェックボックスがＯＮにセットされた場合には、以下に説明するステップＳ２０６〜Ｓ２１０の処理が行われる。
【００４０】
そして、ステップＳ２０４の判別の結果、出荷物関連データの作成を行う場合には（ステップＳ２０４でＹｅｓ）、ステップＳ２０５に進んで、出力用データの作成を行うかどうかを判別する。出力用データの作成を行う場合には（ステップＳ２０５でＹｅｓ）、ステップＳ２０６〜Ｓ２０７の処理を行ってステップＳ２０８に進み、一方、出力用データの作成を行わない場合（例えば、物品特定用データ作成の旨の指示入力がなされた場合）には（ステップＳ２０５でＮｏ）、ステップＳ２０６〜Ｓ２０７の処理をスキップして、ステップＳ２０８に進む。
【００４１】
出力用データの作成を行う場合（ステップＳ２０５でＹｅｓ）、まず、ステップＳ２０２で特定された主たる物品に関する主物品情報（例えば商品コード又は商品名）を用いて、第１の物品マスタを参照する（ステップＳ２０６）。これにより、付属品情報と順序情報が取得される。続いて、主物品情報と、ステップＳ２０６の処理の結果取得した付属品情報及び順序情報を用いて出力用データを作成する（ステップＳ２０７）。
【００４２】
ここで、出力用データについて説明する。
【００４３】
出力用データとは、出荷物関連データの一例であって、出荷物を構成する物品のリストを出力するためのデータをいう。また、付属品情報とは、主たる物品に付属すべき付属品を特定するための情報をいう。付属品としては、主たる物品を梱包して出荷するときの梱包材及び添付書類が例示される。順序情報とは、主たる物品及び付属品に関する所定の順序を示す情報をいい、このステップＳ２０６の処理の結果取得される順序情報（つまり、出力用データの作成を行う場合に取得される順序情報）が示す所定の順序は、出荷物を構成する物品のリストにおいて出力すべき物品の出力順序である。物品の出力順序の例は、例えば、複数の物品で構成される出荷物に同梱リストを添付する場合に、同梱リスト上での複数の物品の並び順であり、具体的には、受取人が出荷物を開封したときに視覚的に把握できる物品の順序である。したがって、出力用データに対応する物品のリストに含まれる物品は、出荷物を構成する全ての物品である必要はなく、一部の物品（例えば検品シール）が除外されていてもよいし、複数の物品が１群の物品（例えばスターターキット）として表されていてもよい。
【００４４】
また、好ましくは、ステップＳ２０６の処理の結果、受注に関する受注情報に応じて、付属品情報に対応する付属品の種類及び数量の一方又は双方を決定することが好ましい。例えば、受注データから、主たる物品の数量に関する情報を取得し、主たる物品の数量に応じて付属品の数量及び数量を決定する。より好ましくは、受注情報から、受注元特定情報及び出荷先特定情報のうちの一方又は双方を取得し、取得した受注元特定情報及び出荷先特定情報のうちの一方又は双方に基づいて、付属品の種類及び数量の一方又は双方を決定する。例えば、受注データから、受注元特定情報を取得し、受注元特定情報から、受注元が新規購入者であると判断された場合には、付属品にユーザ登録用紙が追加され、一方、受注元がリピーター（過去に注文を受けたことがある受注元）であると判断された場合には、付属品から、例えばユーザ登録用紙が除外される。
【００４５】
このようにして出力用データが出力順序を示す情報を含むことにより、出荷物を構成する物品のリストを出力する際における複数の物品の出力順序（例えば、印刷順序又は表示順序）が出力用データ上で定まることとなる。そして、このようにして作成された出力用データは、所定の記録媒体例えば記憶部１０６に任意のタイミングで出力可能に保持される。例えば、出力用データに対して印刷指示がなされると、複数の物品が出力順序にしたがって並んで印字されることで複数の物品のリストが完成する。出力用データを表示する場合及び出力用データを他の装置へ送出する場合にも同様である。そして、ステップＳ２０７で出力用データが作成されたら、ステップＳ２０８の処理に進む。
【００４６】
ステップＳ２０８では、物品特定用データの作成を行うかどうかを判別する。物品特定用データの作成を行わない場合（例えば、出荷物関連データ作成用の表示画面が閉じられた場合）には（ステップＳ２０８でＮｏ）、ステップＳ２０９〜Ｓ２１０の処理をスキップして、本処理を完了する。一方、物品特定用データの作成を行う場合には（ステップＳ２０８でＹｅｓ）、ステップＳ２０９の処理に進む。
【００４７】
物品特定用データの作成を行う場合（ステップＳ２０８でＹｅｓ）、まず、ステップＳ２０２で特定された主たる物品に関する主物品情報（例えば商品コード又は商品名）を用いて、第２の物品マスタを参照する（ステップＳ２０９）。これにより、付属品情報と順序情報が取得される。続いて、主物品情報と、ステップＳ２０９の処理の結果取得した付属品情報及び順序情報を用いて物品特定用データを作成する（ステップＳ２１０）。
【００４８】
ここで、物品特定用データについて説明する。物品特定用データとは、出荷物関連データの一例であって、出荷物を構成するために必要な複数の物品を特定するためのデータをいう。また、付属品情報とは、主たる物品に付属すべき付属品を特定するための情報をいう。付属品としては、主たる物品を梱包して出荷するときの梱包材及び添付書類が例示される。順序情報とは、主たる物品及び付属品に関する所定の順序を示す情報をいい、このステップＳ２０９の処理の結果取得される順序情報（つまり、物品特定用データの作成を行う場合に取得される順序情報）が示す所定の順序は、出荷物を構成するために必要な複数の物品の梱包手順である。物品の梱包手順の例は、例えば、出荷物を構成すべく複数の物品の各々を倉庫から取り出す（ピッキング）する場合における取り出し順、又は、取り出した後に梱包する場合における梱包順（作業手順）である。なお、梱包手順は、取り出し順又は梱包順と完全に一致している必要はなく、作業者が過度の負担なく作業手順を把握できる程度の順序であってもよい。したがって、物品特定用に対応する物品のリストは、出力用データに対応する物品のリストとは異なり、物品の漏れがないよう可能な限り全ての物品が含まれるように構成されることが好ましい。
【００４９】
そして、このようにして作成された物品特定用データは、所定の記録媒体例えば記憶部１０６に任意のタイミングで出力可能に保持される。このようにして物品特定用データが梱包手順に関する情報を含むことにより、ユーザは、出荷物を構成する物品のリストを得る際に、当該複数の物品の梱包手順（例えば、取り出し順又は梱包順）も得ることができるようになる。例えば、物品特定用データに対して印刷指示がなされると、出荷物を構成すべき複数の物品のリストがその梱包手順も含む梱包ピッキング表として完成する。物品特定用データを表示する場合及び物品特定用データを他の装置へ送出する場合にも同様である。そして、ステップＳ２１０で物品特定用データが作成されたら、本処理を完了する。
【００５０】
以上詳細に説明したように、図２に示した出荷物関連データ作成方法の処理によれば、複数の物品で構成される出荷物に関し、物品マスタ（第１の物品マスタ１０６ｂ又は第２の物品マスタ１０６ｄ）を参照して（ステップＳ２０６又はＳ２０９）、出荷物を構成すべき複数の物品のリストであって当該複数の物品に関する順序が明示的に又は黙示的に示されたリストのデータが出荷物関連データとして作成される（ステップＳ２０７又はＳ２１０）。すなわち、所定の順序（例：物品の梱包順，梱包物リストにおける物品の印刷順，梱包すべき物品の倉庫からのピックアップ順）が自動的に決定される。これにより、ユーザは、複数の物品で構成される出荷物の出荷に係る作業性の向上を図ることができる。
【００５１】
また、図２に示した処理によれば、物品マスタとして第１の物品マスタ１０６ｂを参照することにより、出荷物関連データとして出力用データが作成される（ステップＳ２０６〜Ｓ２０７）。これにより、出力順（例：印刷順，表示順）を自動的に決定することができる。さらに、図２に示した処理によれば、物品マスタとして第２の物品マスタ１０６ｄを参照することにより、出荷物関連データとして物品特定用データが作成される（ステップＳ２０９〜Ｓ２１０）。これにより、梱包順を自動的に決定することができる。
【００５２】
さらに、図２に示した処理によれば、出荷物の主たる物品が受注に係る物品である場合、受注に関する受注情報に応じて、付属品情報に対応する付属品の種類又は数量が決定される。これにより、付属品の種類や数量を間違える可能性を低くすることができる。また、図２に示した処理によれば、受注情報が受注元特定情報及び出荷先特定情報のうちの一方又は双方を含んでいる場合に、受注元特定情報及び出荷先特定情報のうちの一方又は双方に基づいて、付属品情報に対応する付属品の種類又は数量が決定される。これにより、受注元特定情報及び出荷先特定情報に応じて付属品（例：ユーザ登録用紙、フリーコールシール）の種類又は数量を自動的に決定することができる。
【００５３】
なお、上述した図２の一連の処理における各処理の処理手順を任意に変更してもよい。例えば、出荷物関連データの作成を行うと判別してから、主物品情報並びに受注元及び出荷先特定情報を取得してもよい。また、出力用データが物品特定用データを兼ねる場合、又は、物品特定用データが出力用データを兼ねる場合にも一方の処理だけを行ってもよい。また、上述した処理の一部の処理を省略してもよい。例えば、ステップＳ２０４及びステップＳ２０８〜Ｓ２１０の処理を省略することにより、図２の一連の処理を、出力用データを作成する処理とすることができ、また、ステップＳ２０４〜Ｓ２０７の処理を省略することにより、図２の一連の処理を、物品特定用データを作成する処理とすることができる。
【００５４】
［３．具体例］
本実施形態の具体例について、図３〜図１５−４を参照して説明する。
【００５５】
本実施形態は、出荷物の主たる物品を特定するための主物品情報と、主たる物品に付属すべき付属品を特定するための付属品情報と、主たる物品及び付属品の所定の順序を示す順序情報とが互いに関連付けられた物品マスタを用意し、複数の物品で構成される出荷物に関する出荷物関連データを作成するに際し、物品マスタを参照して、出荷物を構成すべき複数の物品のリストであって当該複数の物品に関する順序が明示的に又は黙示的に示されたリストのデータを出荷物関連データとして作成するというものである。このようにして作成された出荷物関連データは、必要に応じて印刷したり、画面表示したりすればよい。これにより、複数の物品で構成される出荷物の出荷に係る作業性の向上を図ることができるという効果を奏する。さらには、出荷時のピッキング作業の時間短縮や精度向上も図ることができるという効果も奏することができる。また、作成した出荷物関連データ又はその印刷物（特には、出荷同梱物の案内書類）を、発行元を特定するための用途として見込むこともできる。
【００５６】
以下に説明する具体例では、梱包物に添付するための梱包物リストのもととなる出荷物関連データと、梱包物を作成するときの梱包順を示した指示書として機能する梱包物ピッキング表のもととなる出荷物関連データとが作成される。
【００５７】
図３は、本発明の実施形態の具体例の概略的な仕組みを説明するために用いられる図である。図３に示すように、近年では、顧客からの注文に応じて用意する商品の他に、当該商品に添付すべき付属品（説明書等）の数は多数に及んでおり、一方で、顧客の利便性や無駄の排除等を考慮して、不要な添付物についてはその添付を割愛することが求められている。したがって、近年では、商品が定まれば梱包物が定まる状況ではなくなってきている。このような状況に応じるために、本具体例においては、注文商品の属性・商品固有・新規客／既存客・注文数に応じた出荷数の明記の有無等の判断条件設定から、自動的に出荷時にピッキング作業等に必要な梱包物情報の算出が可能となっている。
【００５８】
判断条件設定の例を示す。複数ソフト注文では、マニュアル冊子はソフトの各々に必要だが、インストール用ＣＤ−ＲＯＭは１枚で十分である。ＰＣなら注文１点でも、同梱物は、ＰＣ本体，キーボード，各種ケーブル，マニュアル，保証書等の複数明細となる。新規購入客には、ユーザ登録用紙，サポートホームページの案内資料等が注文品に関わらず必要である。商品ごとでなく、商品の属性（分類）レベルで共通して必要となる出荷物が定まる。本具体例では、後で詳述するように各判断条件に応じてマスタが用意されている。
【００５９】
図４−１及び図４−２は、本発明の実施形態の具体例において採用されている同梱物情報を取得するためのロジックを説明するために用いられる図である。これらの図からわかるように、印刷順として、リスト出力順（梱包物リストにおける物品の印刷順）と、梱包順（同梱物ピッキング表における物品の印刷順）とは基本的には同じロジックで構成されており、印刷順として、リスト出力順を選択するか、梱包順を選択するかに応じて、マスタから読み出されるデータが異なるようになっている。
【００６０】
図５は、本発明の実施形態の具体例において用意される１群のマスタの例を模式的に示す図である。図６は、本発明の実施形態の具体例における受注品のリスト（受注データ）の一例を模式的に示す図である。図６に示すように受注データに各種の項目を設けることにより、図５に示すマスタの参照を実現している。
【００６１】
図７は、本発明の実施形態の具体例において、出荷物関連データを作成する処理を行うときのワークデータを模式的に示す図である。図８は、図７に示すワークデータから、設定された印刷順に応じて抽出した１群のワークデータを模式的に示す図である。図９は、図８に示すワークデータから最終的に作成されたワークデータ（出荷物関連データ）を模式的に示す図である。
【００６２】
図１０は、本発明の実施形態の具体例において、出力される同梱物リストの一例を示す図である。図１１は、本発明の実施形態の具体例において、出力される同梱物ピッキング表の一例を示す図である。図１０及び図１１に示すリストは、本発明の実施形態の具体例において作成された出荷物関連データを所定の帳票又は印刷媒体に出力することで作成される。図１０及び図１１を比較すれば分かるように、リスト内における物品の印刷順が異なるようになっている（なお、例えば物品の数が少ない場合等では、両者のリストにおいて印刷順が同一となってもよい）。
【００６３】
図１２は、図５に示した同梱物マスタのテーブルレイアウトの一例を示す図である。図１３は、図５に示した商品別同梱物マスタのテーブルレイアウトの一例を示す図である。図１４は、図５に示した商品属性別同梱物マスタのテーブルレイアウトの一例を示す図である。図１２〜図１４に示すように、各マスタには、さまざまな項目を設定することができる。
【００６４】
図１５−１、図１５−２、図１５−３、及び図１５−４は、本発明の実施形態の具体例において行われる処理をより詳細に説明するために用いられる図である。
【００６５】
以上詳細に説明したように、本具体例によれば、図５に示したようなマスタを用意しておくことにより、出荷物関連データとして、同梱物リストのもととなる出荷物関連データや、同梱物ピッキング表のもととなる出荷物関連データを作成することができる。これにより、出荷担当者の作業性を向上させることができる。また、出荷担当者の負荷が軽減されて精度向上を実現することができる。
【００６６】
なお、上述した具体例では、同梱物リストのもととなる出荷物関連データや、同梱物ピッキング表のもととなる出荷物関連データが作成される場合について説明したが、多数の物品が倉庫内に分散配置されている場合や保存性の悪い商品を扱う場合に、倉庫からピックアップすべき順序を示したピッキング表のもととなる出荷物関連データが作成されてもよい。また、上述した具体例では、必要な物品についてのリストのもととなる出荷物関連データが作成される場合について説明したが、さらに、不要な物品についてのリストのもととなるデータが作成されてもよく、これにより、さらに、出荷精度の向上を実現することができる。
【００６７】
［４．他の実施形態］
本発明は、上述した実施形態以外にも、特許請求の範囲に記載した技術的思想の範囲内において種々の異なる実施形態にて実施されてよいものである。
【００６８】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６９】
また、本明細書中や図面中で示した処理手順、制御手順、具体的名称、各処理の登録データや検索条件等のパラメータを含む情報、画面例、データベース構成については、特記する場合を除いて任意に変更することができる。
【００７０】
また、出荷物関連データ作成装置１００及び出荷物関連データ作成システム１０００に関して、図示の各構成要素は機能概念的なものであり、必ずしも物理的に図示の如く構成されていることを要しない。
【００７１】
例えば、出荷物関連データ作成装置１００及び出荷物関連データ作成システム１０００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて出荷物関連データ作成装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７２】
また、このコンピュータプログラムは、出荷物関連データ作成装置１００に対して任意のネットワークを介して接続されたアプリケーションプログラムサーバ（例えば、ネットワーク３００を介して接続されたサーバ２００）に記憶されていてもよく、必要に応じてその全部または一部をダウンロードすることも可能である。
【００７３】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明したような処理又は処理方法を実行するためのプログラムを格納した記録媒体もまた本発明を構成することとなる。
【００７４】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７５】
記憶部１０６に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【００７６】
また、出荷物関連データ作成装置１００は、既知のパーソナルコンピュータまたはワークステーション等の情報処理装置として構成してもよく、また、任意の周辺装置が接続された当該情報処理装置として構成してもよい。また、出荷物関連データ作成装置１００は、当該装置に本明細書で説明した処理を実現させるソフトウェア（プログラムまたはデータ等を含む）を実装することにより実現してもよい。
【００７７】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７８】
本発明は、複数の物品で構成される出荷物を扱う業種（例えば、出荷物に付属品や証書等の同梱物が必要となる出荷物を扱う業態）に有用であり、特に、卸売業に有用である。
【符号の説明】
【００７９】
１００  出荷物関連データ作成装置
１０２  制御部
１０２ａ  付属品決定部
１０２ｂ  作成部
１０４  通信インターフェース部
１０６  記憶部
１０６ａ  受注情報記憶領域
１０６ｂ  第１の物品マスタ
１０６ｃ  出力用データ記憶領域
１０６ｄ  第２の物品マスタ
１０６ｅ  物品特定用データ記憶領域
１０８  入出力インターフェース部
１１２  入力装置
１１４  出力装置
２００  サーバ
３００  ネットワーク
１０００  出荷物関連データ作成システム
【図１】
2017174412.tif 000003
【図２】
2017174412.tif 000004
【図３】
2017174412.tif 000005
【図４−１】
2017174412.tif 000006
【図４−２】
2017174412.tif 000007
【図５】
2017174412.tif 000008
【図６】
2017174412.tif 000009
【図７】
2017174412.tif 000010
【図８】
2017174412.tif 000011
【図９】
2017174412.tif 000012
【図１０】
2017174412.tif 000013
【図１１】
2017174412.tif 000014
【図１２】
2017174412.tif 000015
【図１３】
2017174412.tif 000016
【図１４】
2017174412.tif 000017
【図１５−１】
2017174412.tif 000018
【図１５−２】
2017174412.tif 000019
【図１５−３】
2017174412.tif 000020
【図１５−４】
2017174412.tif 000021